(57)【要約】  本発明は、その内容物に対する光防御と、漏出および空気への暴露および汚染のリスクのない安全な方法で、必要に応じてその内容物を観察する可能性とをもたらすと同時に、感光性物質を保持する３部容器を提供する。
2020507532.tif 000002
【特許請求の範囲】
【請求項１】
ａ）封止された底端部および開いた上端部を含む光不透過性かつ剛性の外殻１０１と、
ｂ）封止された底端部および開いた上端部を含む剛性の内側容器１０２であり、その少なくとも一部が透明である、剛性の内側容器１０２と、
ｃ）前記内側容器１０２に接続し、それを封止するように設計されている光不透過性の蓋部１０３と、
を含み、
前記蓋部１０３が前記内側容器１０２を封止すると、前記内側容器１０２は前記外殻１０１の内部に配置され、前記外殻１０１は前記蓋部１０３または前記内側容器１０２のどちらかと噛み合い、前記蓋部１０３は、前記外殻１０１と共に、光不透過性ケーシングを作り出す、
感光性物質を保持する容器。
【請求項２】
前記内側容器１０２は、任意の適切な機構により、前記外殻１０１に取外し可能に取り付けられている、請求項１に記載の容器。
【請求項３】
前記適切な機構は、クリップオン；溝部またはレール内へ嵌め込まれる延長部；クリップ；摩擦；ねじ機構；前記外殻１０１が進入し、噛み合う蓋部１０３内の空間；前記外殻１０１の内側または前記内側容器１０２上に配置されるＯリング等のうちの任意の１つである、請求項２に記載の容器。
【請求項４】
前記外殻１０１は少なくとも１つの突出部を含み、前記蓋部１０３は、前記少なくとも１つの突出部を受け入れ、それにより前記外殻１０１からの前記内側容器１０２の意図的でない抜出を防止するように設計されている補完取付け領域を含む、請求項１から３のいずれか一項に記載の容器。
【請求項５】
前記外殻１０１は少なくとも１つの突出部を含み、前記内側容器１０２は、前記少なくとも１つの突出部を受け入れ、それにより前記外殻１０１からの前記内側容器１０２の意図的でない抜出を防止するように設計されている補完取付け領域を含む、請求項１から３のいずれか一項に記載の容器。
【請求項６】
前記蓋部１０３は少なくとも１つの突出部を含み、前記外殻１０１は、前記少なくとも１つの突出部を受け入れ、それにより前記外殻１０１からの前記内側容器１０２の意図的でない抜出を防止するように設計されている補完レールまたは取付け領域を含む、請求項１から５のいずれか一項に記載の容器。
【請求項７】
前記内側容器１０２は少なくとも１つの突出部を含み、前記外殻１０１は、前記少なくとも１つの突出部を受け入れ、それにより前記外殻１０１からの前記内側容器１０２の意図的でない抜出を防止するように設計されている補完レールまたは取付け領域を含む、請求項１から５のいずれか一項に記載の容器。
【請求項８】
前記蓋部１０３は前記内側容器１０２に永久的に関連している、請求項１から７のいずれか一項に記載の容器。
【請求項９】
前記蓋部１０３は前記内側容器１０２に取外し可能な方法で関連している、請求項１から７のいずれか一項に記載の容器。
【請求項１０】
前記蓋部１０３は前記内側容器１０２にスクリューオンし、それを封止するように設計されており、
前記蓋部１０３が前記内側容器１０２を封止すると、前記内側容器１０２は前記外殻１０１の内部に配置され、前記外殻１０１は前記蓋部１０３および／または前記内側容器１０２と噛み合い、前記蓋部１０３は、前記外殻１０１と共に、光不透過性ケーシングを作り出し、
前記内側容器１０２が前記外殻１０１の内部に配置されると、それは、前記蓋部１０３が、前記外殻１０１から前記内側容器１０２を抜き出すことなく、スクリューオンされ得るかまたはスクリューオフされ得るように、取り付けられる、
請求項９に記載の容器。
【請求項１１】
前記蓋部１０３は前記内側容器１０２にスクリューオンし、それを封止するように設計されており、前記容器は２つの構造：
前記内側容器１０２が前記外殻１０１の内部に可逆的に存在し、それにより前記蓋部１０３をスクリューオフすることを可能にし、かつ光への最小限の暴露で前記感光性物質を引き出すことおよび前記蓋部１０３をスクリューオンし戻すことを可能にする第１の構造と；
前記蓋部１０３が依然として取り付けられた状態で前記内側容器１０２が前記外殻１０１から引き出されることが可能であり、それにより、その内容物の意図的でない漏出および空気へのその暴露を回避しながら、その中の物質量を評価することを可能にする、第２の構造と；
を有する、請求項９または１０に記載の容器。
【請求項１２】
前記内側容器１０２は、以下の機構：クリップオン；溝部またはレール内へ嵌め込まれる延長部；クリップ；ねじ機構；前記外殻１０１が進入し、噛み合う前記蓋部１０３内の空間；またはそれらの組合せのうちの任意の１つにより、前記外殻１０１に取外し可能に取り付けられている、請求項９から１１のいずれか一項に記載の容器。
【請求項１３】
前記外殻１０１はその開いた上端部の円周に延長部１０８を有し、前記蓋部１０３は、前記内側容器１０２が前記外殻１０１の内部に配置されると、光が前記内側容器１０２を透過し、それに到達することを完全に阻止するために、前記延長部１０８に重なる、請求項１から１２のいずれか一項に記載の容器。
【請求項１４】
前記蓋部１０３が取り付けられている状態で前記内側容器１０２が前記外殻１０１の内部に配置されると、光が前記内側容器１０２を透過し、それに到達することが阻止されるように、前記蓋部１０３は前記外殻１０１の円周と重なるように設計されている延長部１０８を有する、請求項１から１２のいずれか一項に記載の容器。
【請求項１５】
前記内側容器１０２は、その上端部に配置されている１つ、２つ、３つ、４つまたはそれより多い突出部を含み、前記外殻１０１は、前記内側容器１０２が前記外殻１０１内へ挿入されると前記突出部に適合し、それにより（ｉ）前記外殻１０１からの前記内側容器１０２の意図的でない抜出を防止するか、もしくは（ｉｉ）前記内側容器１０２を固定することを可能にして、前記内側容器１０２に実際に接触すること／それを実際に保持することなく、またはどちらもすることなく、前記蓋部１０３を開閉することを可能にするように設計されている一組の溝部またはレールを含む、請求項１から１４のいずれか一項に記載の容器。
【請求項１６】
前記内側容器１０２はその底端部に配置されている１つ、２つ、３つ、４つまたはそれより多い突出部を含み、前記外殻１０１は、前記内側容器１０２が前記外殻１０１内へ挿入されると前記突出部１０６に適合し、それにより（ｉ）前記外殻１０１からの前記内側容器１０２の意図的でない抜出を防止するか、または（ｉｉ）前記内側容器１０２を固定することを可能にして、実際に前記内側容器１０２に接触すること／それを保持することなく、またはどちらもすることなく、前記蓋部１０３を開閉することを可能にするように設計されている、その底端部に配置されている一組の溝部１０７を含む、請求項１から１４のいずれか一項に記載の容器。
【請求項１７】
前記外殻１０１および前記内側容器１０２は、前記内側容器１０２が前記外殻１０１内へ挿入されると互いに適合し、それにより、（ｉ）その内部に存在している時に前記外殻１０１からの前記内側容器１０２の意図的でない抜出を防止し、（ｉｉ）前記内側容器１０２の回動を防止して、実際に前記内側容器１０２を保持することなく、前記蓋部１０３のスクリューオフおよびスクリューオンを可能にするように設計されている補完的な突出部１０６および溝部１０７を含み、
前記容器は、２つの構造：
前記内側容器１０２が前記外殻１０１の内部に可逆的に存在し、それにより前記蓋部１０３をスクリューオフすることを可能にしかつ光への最小限の暴露で前記感光性物質を引き出すことおよび前記蓋部１０３をスクリューオンし戻すことを可能にする、第１の構造であり、
前記蓋部１０３は、前記内側容器１０２にスクリューオンされると、専用突出部１０４を押圧し、それにより、前記外殻１０１からの前記内側容器１０２の意図的でない抜出のリスクを低減し、前記蓋部１０３は、前記外殻１０１と共に、その内部に存在している前記内側容器１０２を保護する光不透過性ケーシングを作り出す、第１の構造；および
前記蓋部１０３が依然として取り付けられている状態で前記内側容器１０２が前記外殻１０１から引き出されることが可能であり、それにより、その内容物の意図的でない漏出および空気へのその暴露および汚染を回避しながら、その中の物質量を評価することを可能にする、第２の構造；
を有する、請求項９から１６のいずれか一項に記載の容器。
【請求項１８】
前記外殻１０１、前記内側容器１０２、および前記蓋部１０３は各々、プラスチック、ガラス、様々なポリマー、ポリプロピレン、ポリエチレン、エチレンもしくはプロピレン、またはそれらの任意の組合せで、独立して、作製されている、請求項１から１７のいずれか一項に記載の容器。
【請求項１９】
前記外殻１０１および前記内側容器１０２はどちらもガラスで作製されている、請求項１８に記載の容器。
【請求項２０】
前記外殻１０１と前記内側容器１０２とは、摩擦；ねじ機構；前記外殻１０１が進入し、噛み合う前記蓋部１０３内の空間；および前記外殻１０１の内側または前記内側容器１０２上に配置されるＯリングから選択される適切な機構により、互いに取外し可能に取り付けられている、請求項１９に記載の容器。
【請求項２１】
前記外殻１０１および前記内側容器１０２はどちらもポリプロピレンおよび／またはポリエチレンで作製されている、請求項１８に記載の容器。
【請求項２２】
前記外殻１０１と前記内側容器１０２とは、クリップオン；溝部またはレール内へ嵌め込まれる延長部；クリップ；摩擦；ねじ機構；前記外殻１０１が進入し、噛み合う前記蓋部１０３内の空間；および前記外殻１０１の内側または前記内側容器１０２上のどちらかに配置されるＯリングから選択される適切な機構により、互いに取外し可能に取り付けられている、請求項２１に記載の容器。
【請求項２３】
前記外殻１０１および前記内側容器１０２は２つの異なる材料で作製されている、請求項１８に記載の容器。
【請求項２４】
前記内側容器１０２は完全に透明である、請求項１から２３のいずれか一項に記載の容器。
【請求項２５】
その封止された底端部から始まる、前記内側容器１０２の長さの少なくとも２／３が透明である、請求項１から２３のいずれか一項に記載の容器。
【請求項２６】
その開いた上端部から始まる、前記内側容器１０２の長さの約１／３が不透明である、請求項１から２３のいずれか一項に記載の容器。
【請求項２７】
前記内側容器１０２は、その開いた上端部からその封止された底端部まで延在している透明なストライプを除いて、不透明である、請求項１から２３のいずれか一項に記載の容器。
【請求項２８】
ａ）封止された底端部および開いた上端部を含む光不透過性かつ剛性の外殻１０１と、
ｂ）封止された底端部および開いた上端部を含む剛性の内側容器１０２であり、その少なくとも一部が透明である、剛性の内側容器１０２と、
ｃ）前記内側容器１０２にスクリューオンし、それを封止するように設計されている光不透過性の蓋部１０３と、
を含み、
前記外殻１０１および前記内側容器１０２は、前記内側容器１０２が前記外殻１０１内へ挿入されると互いに適合し、それにより（ｉ）その内部に存在している時に前記外殻１０１からの前記内側容器１０２の意図的でない抜出を防止し、（ｉｉ）前記内側容器１０２の回動を防止して、実際に前記内側容器１０２を保持することなく、前記蓋部１０３をスクリューオフすることおよびスクリューオンすることを可能にするように設計されている補完的な突出部１０６および溝部１０７を含み、
剛性の前記内側容器１０２が前記外殻１０１の内部に可逆的に存在し、それにより前記蓋部１０３をスクリューオフすることを可能にしかつ光への最小限の暴露で感光性物質を引き出すことおよび前記蓋部１０３をスクリューオンし戻すことを可能にする、第１の構造であり、
前記蓋部１０３は、前記内側容器１０２にスクリューオンされると、前記外殻１０１の前記開いた上端部に配置されている専用突出部１０４を前記内側容器１０２に押し付けて、それにより前記外殻１０１からの前記内側容器の意図的でない抜出のリスクを低減し、前記蓋部１０３は、前記外殻１０１と共に、その内部に存在している前記内側容器１０２を保護する光不透過性ケーシングを作り出す、
第１の構造；および
前記蓋部１０３が依然として取り付けられている状態で前記内側容器１０２が前記外殻１０１から引き出されることが可能であり、それにより、その内容物の意図的でない漏出および空気へのその暴露および汚染を回避しながら、その中の物質量を評価することを可能にする、第２の構造；
を有する、感光性物質を保持する容器。
【請求項２９】
前記外殻１０１は少なくとも１つの突出部を含み、前記蓋部１０３は前記少なくとも１つの突出部を受け入れ、それにより前記外殻１０１からの前記内側容器１０２の意図的でない抜出を防止するように設計されている補完取付け領域を含む、請求項２８に記載の容器。
【請求項３０】
前記蓋部１０３は少なくとも１つの突出部を含み、前記外殻１０１は前記少なくとも１つの突出部を受け入れ、それにより前記外殻１０１からの前記内側容器１０２の意図的でない抜出を防止するように設計されている補完レールまたは取付け領域を含む、請求項２８に記載の容器。
【発明の詳細な説明】
【技術分野】
【０００１】
本発明は、感光性物質を保持するように設計されている光防御容器に関する。より詳細には、本発明は、その内容物に対する光防御、ならびに漏出および空気への暴露および可能性のある汚染のリスクのない簡単な方法で、必要に応じて内容物を観察する（例えば、量を評価する）可能性をもたらす３部容器（3-part container）に関する。
【背景技術】
【０００２】
試験管、スライド、ウェル、プレート、瓶、カラム、ビーカ、フラスコ、および他の貯蔵容器および／または反応槽などの容器が、一般的に、感光性物質、薬剤、および検体を含む様々な物質を保存するのに使用される。通常、これらの容器は、目視検査を可能にする半透明または透明な材料から作製され、それにより、容器の内容物は光の影響を受け易くなる。したがって、そのような容器内に保存されている感光性物質の使用の遅延が、結果的に、そのような感光性物質の劣化につながる可能性がある。
【０００３】
したがって、感光性物質は、一般に、色ガラス容器、紫外線保護剤で処理されたガラス容器内に、または不透明プラスチック容器内に収容される。感光性物質が色ガラス容器または紫外線処理ガラス容器内に含有されている場合、ユーザはその中の内容物を見ることができるが、多少困難があり、それにも関わらず、中にある物質は依然として光にいくらか暴露される。他方では、不透明容器は中に保持されている内容物を見る可能性をもたらさない。さらに、通常はガラス容器において使用されるカーボンブラックおよび紫外線保護剤などの着色剤を含む遮光材料が、これらの添加剤にはプラスチック材料から滲出し、中に含有されている物質を汚染する傾向があるので、プラスチック容器上に使用されることが不可能である。多くの感光性物質が、これらの添加剤に暴露されると汚染され、使い物にならなくなる。
【０００４】
さらに、容器を不透明にすることにより、その内容物の目視検査が妨げられ、どのくらいの量の物質がその中に残存しているかを知る可能性が阻まれる。容器の内容物の目視検査は、容器内に残存している流体／物質の量を確認すること、および物質の使用中に、例えば内容物がきれいで汚染がないことを確実にすることの両方に有益である。
【０００５】
光への感光性物質の暴露を防止する別の方法が、前記感光性流体を保持する容器を、封止された不透明上包内に封入することである。しかし、これらの上包は破れる可能性があり、基本的な動作、例えば容器を直立状態位置に配置すること、（上包を伴う）容器を遠心分離機にかけること等、を妨げる可能性がある。
【０００６】
感光性物質を光から保護するために、人は容器を不透明材料のシート、例えばアルミホイル、で覆うことが多い。しかし、この即席の手法は、前記容器を取り扱う全ての人が、それが光防御されなければならないことに気付くことを必要とし、そのようなカバーが置き間違えられること、または例えば小さい検出されない破れもしくは不適切な覆いに因り、完全な遮光をもたらさないことが多い。さらに、これは、個人的使用および時限使用に多少適切である可能性があると考えられるが、感光性物質の大規模な生成、出荷、および長期の使用には不適切である。
【０００７】
特許文献１が、感光性物質を保存する２つの別々の無関係なシステム：蓋部を備えた内側容器と別の蓋部を備えた外側不透明剛性容器とを含むもの；および蓋部を備えた内側容器と外側不透明可撓性／変形可能容器を含むもの、を記載している。
【０００８】
特許文献２が、高い衝撃保護および隔離をもたらす、薬瓶用の携帯容器を提供しており、前記容器は、（ｉ）剛性瓶およびキャップ組立体を含む薬瓶と、（ｉｉ）下部スリーブおよび上部キャップを含む容器と、を含み、いずれも耐衝撃壁を備えている。
【０００９】
特許文献３が、容器を取り囲むスリーブを記載している。
【００１０】
特許文献４が、容器の内容物を光から遮断する保護ラベルに関し、前記容器およびラベルは、光が通って透過し得る少なくとも２つの開口部を含み、その結果、前記開口部を位置合わせする、容器に対するラベル回転が、そこにおいて見ることを可能にする。
【先行技術文献】
【特許文献】
【００１１】
【特許文献１】西国特許出願公開第２３５８４０９号
【特許文献２】米国特許第５，６９５，０９０号
【特許文献３】米国特許出願公開第２０１０／００３８２７３号
【特許文献４】欧州特許第２３５１６９３号
【発明の概要】
【発明が解決しようとする課題】
【００１２】
したがって、中に含有されている感光性物質の内容物をユーザが見ることを可能にし、かつ現在使用されている容器の問題を回避する、光防御容器の必要が依然として存在する。
【課題を解決するための手段】
【００１３】
本発明は、感光性物質を保持する容器を提供し、前記容器は、（ａ）封止された底端部および開いた上端部を有する不透明剛性外殻１０１と、（ｂ）封止された底端部および開いた上端部を有する内側剛性容器１０２であり、その少なくとも一部が透明である、内側容器１０２と、（ｃ）前記内側容器１０２に接続し、封止するように設計されている不透明蓋部１０３であり、前記蓋部１０３が前記内側容器１０２を封止すると、前記内側容器１０２は前記外殻１０１の内部に配置され、前記外殻１０１は前記蓋部１０３または前記内側容器１０２のどちらかと噛み合い、前記蓋部１０３は、前記外殻１０１と共に、光不透過性ケーシングを作り出す、不透明蓋部１０３と、を含む。
【００１４】
本発明は、感光性物質を保持する容器を提供し、前記容器は、（ａ）封止された底端部および開いた上端部を含む光不透過性剛性外殻１０１と、（ｂ）封止された底端部および開いた上端部を含む内側剛性容器１０２であり、その少なくとも一部が透明である、内側容器１０２と、（ｃ）前記内側容器１０２にスクリューオン（ｓｃｒｅｗ  ｏｎ）し、それを封止するように設計されている光不透過性蓋部１０３と
を含み、
−  前記光不透過性剛性外殻１０１および前記内側容器１０２は、前記内側容器１０２が前記外殻１０１内へ挿入されると互いに適合し、それにより、（ｉ）その中に存在している時に前記外殻１０１からの前記内側容器１０２の意図的でない抜出を防止し、（ｉｉ）前記内側容器１０２の回動を防止して、実際に前記内側容器１０２を保持することなく、前記蓋部１０３のスクリューオフ（ｓｃｒｅｗ  ｏｆｆ）およびスクリューオンを可能にするように設計されている補完的な突出部１０６および溝部１０７を含み、
−  前記容器は、２つの構造：
−  前記内側剛性容器１０２が前記外殻１０１の内部に可逆的に存在し、それにより蓋部１０３をスクリューオフすることを可能にしかつ光への最小限の暴露で前記感光性物質を引き出すことおよび蓋部１０３をスクリューオンし戻すことを可能にする第１の構造であり、
前記蓋部１０３は、（前記外殻１０１の内部に存在している）内側容器１０２にスクリューオンされると、外殻１０１の開いた上端部に配置されている専用突出部１０４を内側容器１０２に押し付け、それにより前記外殻１０１からの前記内側容器１０２の意図的でない抜出のリスクを低減し、
前記蓋部１０３は、前記外殻１０１と共に、その内部に存在している内側容器１０２を保護する光不透過性ケーシングを作り出す、
第１の構造；および
−  蓋部１０３が依然として取り付けられている状態で内側容器１０２が外殻１０１から引き出されることが可能であり、それによりその内容物の意図的でない漏出および空気へのその暴露および汚染を回避しながら、その中の物質量を評価することを可能にする、第２の構造
を有する。
【図面の簡単な説明】
【００１５】
【図１】本発明の容器を構成する３つの構成要素の、１つの可能性のある構造の図である。
【図２Ａ】本発明の容器がどのように使用され得るかの図であり、その内容物を見ることを可能にするために、内側容器が外殻から抜き出され得ることを示す図である。
【図２Ｂ】本発明の容器がどのように使用され得るかの図であり、その内容物を抜き出す／引き出すために、内側容器が不透明外殻の内部に保たれている間に、蓋部が開かれ得ることを示す図である。
【図３】蓋部を固定し、かつしたがって外殻からの内側容器の意図的でない抜出を防止するように設計されている、外殻の開いた端部に配置されている、可能性のある突出部の図である。
【図４】内側容器を固定し、かつしたがって外殻からの内側容器の意図的でないその抜出を防止し、かつ外殻の内部に配置されている内側容器を回動させることなく、蓋部を回動させて開くことを可能にするように設計されている、外殻の開いた端部に配置されている、他の可能性のある突出部の図である。
【発明を実施するための形態】
【００１６】
感光性物質、薬剤、および感光性である活性剤／活性成分を含有する組成物が、ある光波長（例えば、可視光スペクトルまたは紫外線）への暴露後、有効性の低下、またはさらには有効性の完全喪失に見舞われる。これは、通常、結果的に前記化学物質の所望の特性の劣化および／または機能障害をもたらす化学反応または光化学反応に因る。したがって、そのような感光性物質が、光への暴露からそれらを遮蔽する容器内に収容されることが重要である。しかし、同時に、そのような感光性物質のユーザは、例えばどのくらいの量の物質が残っているか、かつ急なもしくは将来的な使用のために十分に存在するかどうか、または物質をもっと注文する必要があるかどうかを評価するために、かつ／または汚染可能性に関して内容物を調査する（例えば、その中の混濁もしくは浮遊物を見る）ために、容器の内容物を見ることを必要とする／所望することが多い。
【００１７】
前記感光性物質が検体である場合、そのような望ましくない環境は、誤った結論をもたらす可能性がある誤った結果または不確定データにつながる可能性があり、かつ／または該実験の繰返しを余儀なくさせる可能性がある。他の状態では、そのような好ましくない光条件が、例えば血液サンプル中の（可視スペクトル内の光に非常に影響を受ける）ビリルビン含有量を分析している場合、命に関わることさえあり得る。
【００１８】
したがって、本発明は、その中の物質を全波長の光から保護すること、およびユーザがその内容物を観察することをどちらも可能にする、感光性物質を保持する容器を提供する。本発明による容器が、（ａ）封止された底端部および開いた上端部を含む光不透過性／不透明剛性外殻１０１と、（ｂ）封止された底端部および開いた上端部を含む内側剛性容器１０２であり、その少なくとも一部が透明である、内側容器１０２と、（ｃ）前記内側容器１０２に（接続し、）封止するように設計されている光不透過性／不透明蓋部１０３であり、前記蓋部１０３が前記内側容器１０２を封止すると、前記内側容器１０２は前記外殻１０１の内部に配置され、前記外殻１０１は前記蓋部１０３または前記内側容器１０２のどちらかと噛み合い、前記蓋部１０３は、前記外殻１０１と共に、光不透過性ケーシングを作り出す、不透明蓋部１０３と、を含む。
【００１９】
特定の実施形態では、感光性物質を保持する、本発明の容器は、（ａ）封止された底端部および開いた上端部を含む光不透過性剛性外殻１０１と、（ｂ）封止された底端部および開いた上端部を含む内側剛性容器１０２であり、その少なくとも一部が透明である、内側容器１０２と、（ｃ）前記内側容器１０２にスクリューオンし、それを封止するように設計されている光不透過性蓋部１０３と
を含み、
−  前記光不透過性剛性外殻１０１および前記内側容器１０２は、前記内側容器１０２が前記外殻１０１内へ挿入されると互いに適合し、それにより、（ｉ）その中に存在している時に前記外殻１０１からの前記内側容器１０２の意図的でない抜出を防止し、（ｉｉ）前記内側容器１０２の回動を防止して、実際に前記内側容器１０２を保持することなく、前記蓋部１０３のスクリューオフおよびスクリューオンを可能にするように設計されている補完的な突出部１０６および溝部１０７を含み、
−  容器は、２つの構造：
−  前記内側剛性容器１０２が前記外殻１０１の内部に可逆的に存在し、それにより蓋部１０３をスクリューオフすることを可能にしかつ光への最小限の暴露で前記感光性物質を引き出すことおよび蓋部１０３をスクリューオンし戻すことを可能にする第１の構造であり、
蓋部１０３は、（前記外殻１０１の内部に存在している）内側容器１０２にスクリューオンされると、外殻１０１の開いた上端部に配置されている専用突出部１０４を内側容器１０２に押し付け、それにより、前記外殻１０１からの前記内側容器１０２の意図的でない抜出のリスクを低減し、
前記蓋部１０３は、前記外殻１０１と共に、内部に存在している内側容器１０２を保護する光不透過性ケーシングを作り出す、第１の構造；および
−  蓋部１０３が依然として取り付けられている状態で内側容器１０２が外殻１０１から引き出されることが可能であり、それにより、その内容物の意図的でない漏出および空気へのその暴露および汚染を回避しながら、その中の物質量を評価することを可能にする、第２の構造
を有する。
【００２０】
「光不透過性」という用語は、本明細書において、「不透明」という用語と言い替え可能に用いられており、様々な波長の光がそれを通過できないことを意味する。
【００２１】
「comprising（含む）」という用語は、本明細書において、「having（有する）」という用語と言い替え可能に用いられていることに留意すべきである。
【００２２】
ある実施形態では、前記内側容器１０２の透明性またはその透明領域は、その中に保存されている物質の感光性に基づいて決定されるかまたは構築される。例えば、該物質が紫外線の影響を受け易い場合、容器１０２は、紫外線波長（例えば、１０〜２００；２００〜３８０；および２００〜４００）が阻止されるような方法で暗くされ得るが、内容物は裸眼に対して可視のままである（例えば、「褐色ガラス」）。
【００２３】
したがって、特定の実施形態では、本発明の容器の内側容器１０２は完全に透明である。他の特定の実施形態では、その封止された底端部から始まる、前記内側容器１０２の長さの少なくとも２／３が透明である。代替的な特定の実施形態では、その開いた上端部から始まる、前記内側容器１０２の長さの約１／３が不透明である。
【００２４】
他の特定の実施形態では、本発明の容器組立体の内側容器１０２は、例えばその開いた上端部からその封止された底端部まで延在している１つまたは複数の透明ストライプを除いて、不透明である。前記ストライプは内側容器の封止された底部からその長さの約２／３まで延在していてもよい。
【００２５】
いくつかの実施形態によれば、本発明の容器は、剛性外殻１０１が、不透明蓋部１０３と共に、その内部に存在している内側容器１０２に光が進入し、到達することを完全に防止する、光不透過性の封止されたケーシングを作り出すように設計されている。このようにして、任意の感光性物質が、前記外殻１０１の内部に配置されている前記内側容器１０２内に存在し、したがって完全に光防御されている。しかし、その透明度もしくは清浄度を調査するために、またはその残量を評価するために、人が物質の内容物を観察する必要がある場合には、内側容器１０２は前記外殻１０１から外へ容易に抜き出されることが可能であり、それによりそのような観察を可能にする。ある実施形態では、内側容器１０２は、蓋部１０３が依然として取り付けられている間に抜き出され、それによりその内容物の意図的でない漏出を防止する。他の実施形態では、内側容器１０２は、蓋部１０３を伴わずに抜き出され、該蓋部は随意に外殻１０１に取り付けられたままである。
【００２６】
さらに、内側容器１０２から感光性物質のいくらかまたは全てを引き出すことが所望された場合、それは、内側容器１０２が前記外殻１０１の内部に依然として存在している間に蓋部１０３を開放することにより行われることが可能であり、それにより蓋部１０３なしで最大限の光防御を維持する。とりわけ、容器の突出部１０６および溝部１０７は内側容器を定位置に取り付け、したがって物理的に内側容器１０２を保持する／それに接触する必要または外殻１０１からそれを抜き出す必要なく、内側容器１０２からの蓋部１０３の開放および除去を可能する。
【００２７】
したがって、本発明の容器のある実施形態では、前記内側容器１０２は、任意の適切な機構により、前記外殻１０１に取外し可能に取り付けられている。そのような適切な機構の非制限的例が、クリップオン；溝部もしくはレール内へ嵌め込まれる延長部；クリップ；摩擦（すなわち、前記内側容器１０２および前記外殻１０１が作製される材料が摩擦を可能にし、したがって該２つの意図的でない分離を防止する）；ねじ機構（例えば、蓋部１０３と外殻１０１との間の、または内側容器１０２と外殻１０１との間の）；前記外殻１０１が進入し、噛み合う蓋部１０３内の空間；前記外殻１０１の内側もしくは前記内側容器１０２上のどちらかに配置されるＯリング；または必要に応じてその容易な抜出を可能にすると同時に、前記外殻１０１からの前記内側容器１０２の意図的でない抜出を防止する任意の他の機構である。
【００２８】
特定の実施形態では、図３に示されている通り、外殻１０１は少なくとも１つの突出部１０４を含み、前記内側容器１０２は、前記少なくとも１つの突出部１０４に適合し／それを受け入れ、それにより前記外殻１０１からの前記内側容器１０２の意図的でない抜出を防止するように設計されている補完取付け領域１０５を含む。特定の実施形態では、蓋部１０３が載っている（スクリューオンされた）場合、それは前記少なくとも１つの突出部１０４に圧力をかけ、それを前記補完取付け領域１０５に押し付け、それにより安全性を高め、外殻１０１からの内側容器１０２の意図的でない抜出のリスクを低減する。
【００２９】
特定の実施形態では、外殻１０１は少なくとも１つの突出部１０４を含み、前記蓋部１０３は、蓋部１０３が載っている時に前記少なくとも１つの突出部１０４を受け入れ、それにより前記外殻１０１からの前記内側容器１０２の意図的でない抜出を防止するように設計されている補完取付け領域を含む。
【００３０】
別の特定の実施形態では、図４に示されている通り、前記内側容器１０２は少なくとも１つの突出部１０６を含み、前記外殻１０１は、前記少なくとも１つの突出部１０６を受け入れ、それにより前記外殻１０１からの前記内側容器１０２の意図的でない抜出を防止するように設計されている補完レール１０７または取付け領域を含む。特定の実施形態では、前記内側容器１０２は、その円周に亘って均等に分布されている２つ、３つ、または４つの突出部１０６を含み、前記外殻１０１は、前記突出部１０６を受け入れるように設計されている、その内側円周全体に亘る補完レール１０７を含む。
【００３１】
別の特定の実施形態では、前記蓋部１０３は少なくとも１つの突出部を含み、前記外殻１０１は、前記少なくとも１つの突出部を受け入れ、それにより前記外殻１０１からの前記内側容器１０２の意図的でない抜出を防止するように設計されている補完レールまたは取付け領域を含む。
【００３２】
ある実施形態では、本発明の容器の蓋部１０３は、例えばフリップオンとして、内側容器１０２に永久的に関連している。代替的実施形態では、蓋部１０３は、例えばねじ機構により、取外し可能に内側容器１０２に関連しており、随意に外殻１０１に関連していない。
【００３３】
特定の実施形態では、図３および図４に示されている通り、本発明の容器組立体の外殻１０１はその開いた上端部の円周に延長部１０８を有し、蓋部１０３が取り付けられている状態で前記内側容器１０２が前記外殻１０１の内部に配置されている場合、該蓋部１０３は、光が前記内側容器１０２を透過し、それ到達することを完全に阻止するために、前記延長部１０８に重なっている。あるいは、蓋部１０３は、（内側または外側のどちらかで）外殻１０１の円周と重なるように設計されている延長部を有し、その結果、蓋部１０３が取り付けられている状態で前記内側容器１０２が前記外殻１０１の内部に配置されると、光が前記内側容器１０２を透過し、それに到達することを阻止される。
【００３４】
ある実施形態では、本発明の容器組立体は、それが外側不透明剛性外殻と、（感光性）物質を保持する内側容器と、蓋部とを含む限り、任意の大きさおよび形態を有していてもよい。例えば、本発明の容器は、標準的なエッペンドルフ／バイアル、ペトリ皿、管（例えば、１０ｃｃ、１５ｃｃ、５０ｃｃ等）、試験管、瓶、マイクロウェル、滴定プレート、フラスコ、ビーカ、バケット等の形状および大きさであってもよい。したがって、本発明の容器組立体が四角形、矩形、円形、三角形、球形の形状等を有し得る。ある実施形態では、本発明の容器は、既存の非光防御容器と類似したもしくは同一の外形および大きさを有するので、それは標準的なラック、遠心分離機、または任意の他の保存手段もしくは配置手段に適合する。
【００３５】
ある実施形態では、本発明の容器の外殻１０１は、容器をラック、ハウジング等に取り付ける取付け要素をさらに含み得る。該取付け要素は、限定されないがねじ機構、スナップ、引き紐、ボタン要素等の、当該技術分野において既知の取付け要素の任意の形態であってもよい。また、外殻１０１は、その内容物の温度を指示するセンサインジケータ（例えば、熱ストリップ）、および／または容器の内容物（種類、有害性、感度、保存可能期間等）を判定するのに役立つ確認手段を含み得る。
【００３６】
本発明の容器が、任意の方法で、かつ通常は生物学的かつ／または化学的保持物品の製造のために製造工業において使用されるものを含む、任意の適切な材料から構築され得る。したがって、本発明の容器の外殻１０１、前記内側容器１０２、および前記蓋部１０３は各々、独立して、プラスチック、ガラス、様々なポリマー、ポリプロピレン、ポリエチレン、エチレンもしくはプロピレン、またそれらの任意の組合せで作製されていてもよい。
【００３７】
ある実施形態では、例えば本発明の容器の外殻１０１および内側容器１０２がいずれもガラスで作製されている場合、それらは、摩擦；ねじ機構；前記外殻１０１が進入し、噛み合う蓋部１０３内の空間；前記外殻１０１の内側にもしくは前記内側容器１０２上のどちらかに配置されるＯリング；または外殻１０１からの内側容器１０２の意図的でない分離を防止し、かつガラスへの損傷も防止する任意の他の適切な機構；あるいはそれらの組合せから選択される適切な機構により、互いに取外し可能に取り付けられている。
【００３８】
他の実施形態では、外殻１０１および内側容器１０２はどちらもポリプロピレンおよび／またはポリエチレンで作製されており、クリップオン；溝部もしくはレール内へ嵌め込まれる延長部；クリップ；摩擦；ねじ機構；前記外殻１０１が進入し、噛み合う蓋部１０３内の空間；前記外殻１０１の内側もしくは前記内側容器１０２上のどちらかに配置されるＯリング；または外殻１０１からの内側容器１０２の意図的でない分離を防止する任意の他の適切な機構；あるいはそれらの任意の組合せから選択される適切な機構により、互いに取外し可能に取り付けられている。
【００３９】
さらに他の実施形態では、外殻１０１および内側容器１０２は２つの異なる材料、例えば一方はガラスならびに他方はポリプロピレンおよび／またはポリエチレン、で作製されており、任意の適切な機構により、互いに取外し可能に取り付けられている。
【００４０】
蓋部１０３も、外殻１０１および内側容器１０２が作製されている材料に関わらず、任意の適切な材料で作製され得ることに留意すべきである。
【００４１】
含有されている感光性物質は、試験される試料、リガンド、検体、または他の材料を含み得る。したがって、そのような感光性物質を保持する本発明の容器組立体も本発明により検討される。
【００４２】
ここで、本発明を、添付図面を参照して、以下の非制限的例により説明する。
【００４３】
図１は、本発明のいくつかの実施形態による容器の３つの構成要素を示し、外殻１０１と、その開いた端部にねじ機構を備えた内側容器１０２と、内側容器１０２のねじ機構に適合する内側ねじ機構（図示せず）を備えた蓋部１０３とを示す。
【００４４】
図２は、本発明による容器の２つの主な代替的組立体構造を示し、容器の特有の特性を検討している。第１の構造では、図２Ａに示されている通り、随意に量インジケータ（その底部の線）を有する内側容器１０２は、蓋部１０３が依然として取り付けられている状態で、外殻１０１から引き出されることが可能であり、それにより、その内容物の意図的でない漏出を回避しながら、かつ内容物を空気に暴露することなくかつ汚染の可能性なしで、内部の物質量を評価することを可能にする。第２の構造では、図２Ｂに示されている通り、内側容器１０２は外殻１０１の内部に存在しているままであり、蓋部１０３のみがそこから除去され、それにより、光への最小限の暴露での感光性物質の引出しを可能にする。とりわけ、内側容器１０２からの蓋部１０３の除去／スクリューオフは、該内側容器１０２に接触することなくかつそれを外殻１０１から抜き出すことなく実施される。前段で説明されている通り、内側容器１０２のねじ機構は不透明材料で作製されているか、それで被覆されており、蓋部１０３が除去された時にも光阻止を増強し得る。
【００４５】
図３は、内側容器１０２が、外殻１０１の一部を構成する突出部１０４と内側容器１０２の一部を構成する専用取付け領域（例えば、レールまたは凹部）１０５との間の相互作用により、外殻１０１内にどのようにして係止されるかを示す。内側容器１０２が外殻１０１内へ挿入されると、取付け領域１０５と突出部１０４とは噛み合い、意図的でない分離を防止する。しかし、分離が、取付け領域１０５を突出部１０４から解除するために、内側容器１０２を直接引いてまたはそれを若干回動させることによりどちらかで、少ない力の付与により実施され得る。特定の実施形態では、蓋部１０３は、外殻１０１の内部に存在している内側容器１０２上に配置される／スクリューオンされると、前記突出部１０４上に圧力をかけ、したがって係止能力をさらに高め、その意図的でない抜出のリスクを低減する。
【００４６】
したがって、ある実施形態では、外殻１０１は、１つ、２つ、３つ、４つまたはそれより多い突出部１０４を含み、前記内側容器１０２は少なくとも１つの取付け領域１０５、または前記内側容器１０２が前記外殻１０１内へ挿入されると前記突出部１０４に適合し、それにより前記外殻１０１からの前記内側容器１０２の意図的でない抜出を防止するように設計されている、一組の取付け領域を含む。
【００４７】
代替的実施形態では、内側容器１０２は１つ、２つ、３つ、４つまたはそれより多い突出部１０４を含み、前記外殻１０１は、前記内側容器１０２が前記外殻１０１内へ挿入されると前記突出部１０４に適合し、それにより前記外殻１０１からの前記内側容器１０２の意図的でない抜出を防止するように設計されている、少なくとも１つの取付け領域１０５または一組の取付け領域を含む。この構造のさらに別の特定の実施形態では、蓋部１０３は、外殻１０１の内部に存在している内側容器１０２上に配置される／スクリューオンされると、前記取付け領域１０５に圧力をかけ、したがって係止能力をさらに高め、その意図的でない抜出のリスクを低減する。
【００４８】
図４は、意図的でない抜出のリスクを低減することにより、安全性を高め、内側容器１０２に接触することまたはそれを外殻１０１から抜き出すことなく、蓋部１０３を内側容器からスクリューオフすることおよびそれにスクリューオンすることを可能にするように設計されている、さらに別の噛合い構造を示す。図４に示されている通り、外殻１０１は一組の溝部１０７を含んでいてもよく、内側容器１０２は、内側容器１０２が外殻１０１内へ挿入されると前記溝部１０７内へ適合し得る、対応する突出部１０６を含んでいてもよい。内部にあると、溝部１０７は内側容器が外殻１０１の内側で回動しないようにし、それにより内側容器１０２を開閉するために蓋部１０３を回動させることを可能にする。ある実施形態では、前記溝部１０７と前記突出部１０６との間の相互作用はまた、外殻１０１からの内側容器１０２の意図的でない抜出を防止するのを助け、前述の取付け領域１０５およびその対応する突出部１０４の代りにまたはそれらに加えて作られる。
【００４９】
したがって、ある実施形態では、内側容器１０２は、その上端部に配置されている１つ、２つ、３つ、４つまたはそれより多い突出部１０６を含み、前記光不透過性剛性外殻１０１は、前記内側容器１０２が前記外殻１０１内へ挿入されると前記突出部１０６に適合し、それにより（ｉ）前記外殻１０１からの前記内側容器１０２の意図的でない抜出を防止するか、または（ｉｉ）前記内側容器１０２を固定することを可能にして、例えば回動させること、弾くこと等により、実際に前記内側容器１０２に接触する／それを保持することなく、またはどちらもすることなく、前記蓋部１０３を開閉することを可能にするように設計されている一組の溝部１０７またはレールを含む。
【００５０】
代替的実施形態では、内側容器１０２は、その底端部に配置されている１つ、２つ、３つ、４つまたはそれより多い突出部１０６を含み、前記光不透過性剛性外殻１０１は、前記内側容器１０２が前記外殻１０１内へ挿入されると前記突出部１０６に適合し、それにより（ｉ）前記外殻１０１からの前記内側容器１０２の意図的でない抜出を防止するか、または（ｉｉ）前記内側容器１０２を固定することを可能にして、例えば回動させること、弾くこと等により、実際に前記内側容器１０２に接触する／それを保持することなく、またはどちらもすることなく、前記蓋部１０３を開閉することを可能にするように設計されている、その底端部に配置されている一組の溝部１０７を含む。
【００５１】
さらに別の代替的実施形態では、外殻１０１は１つ、２つ、３つ、４つまたはそれより多い突出部１０６を含み、前記内側容器１０２は、前記内側容器１０２が前記外殻１０１内へ挿入されると前記突出部１０６に適合し、それにより（ｉ）前記外殻１０１からの前記内側容器１０２の意図的でない抜出を防止するか、または（ｉｉ）前記内側容器１０２を固定することを可能にして、例えば回動させること、弾くこと等により、実際に前記内側容器１０２に接触する／それを保持することなく、またはどちらもすることなく、前記蓋部１０３を開閉することを可能にするように設計されている一組の溝部１０７を含む。
【符号の説明】
【００５２】
１０１  光不透過性／不透明剛性外殻
１０２  内側剛性容器
１０３  光不透過性／不透明蓋部
１０４  専用突出部
１０５  補完取付け領域、専用取付け領域
１０６  突出部
１０７  溝部
１０８  延長部
【図１】
2020507532.tif 000003
【図２Ａ】
2020507532.tif 000004
【図２Ｂ】
2020507532.tif 000005
【図３】
2020507532.tif 000006
【図４】
2020507532.tif 000007
【国際調査報告】
2020507532.tif 000008
2020507532.tif 000009